(57)【要約】【課題】従来の吊り下げ反射具は反射発光が弱いので、反射材とともにＬＥＤによる点滅発光が可能であるとともに、グリップに着脱可能な反射発光具を提供する。【解決手段】ケース４下部に突出するレンズ２を組み合わせ、上部にナス環１０付き吊り具１１を設けた前記ケース４の背面に反射材５を設けた開放側内部に、下部にＬＥＤ６を取り付けた回路基板８にスイッチ９と電池７を位置した前記回路基板８を納めて成るケース４の開放部を、反射材５部に前記スイッチ９を作動させるスイッチボタン１２を備えた蓋１３で閉じて成る吊り下げ型反射発光具１とする。【選択図】図１
0003138848.tif 000002
【実用新案登録請求の範囲】
【請求項１】
ケース下部に突出するレンズを組み合わせ、上部にナス環付き吊り具を設けた前記ケースの背面に反射材を設けて成る開放部内に、下部にＬＥＤを取り付けた他部にスイッチと電池を位置した回路基板を納めて成るケースの前記開放部を、前記スイッチに当接するスイッチボタンを備えた蓋で閉じて成る構成を特徴とする吊り下げ型反射発光具。
【請求項２】
前記する蓋面に、反射材を設けて成る請求項１に記載する吊り下げ型反射発光具。
【請求項３】
前記する反射発光具のナス環に、グリップ吊り具を組み合わせて成る請求項１又は請求項２に記載する吊り下げ型反射発光具。
【考案の詳細な説明】
【技術分野】
【０００１】  本考案は、太陽光やヘッドライトにも反射することに加え、ＬＥＤによる点滅発光も可能にして全方向からの視認を容易にするとともに、必要な時は自転車やバイクのグリップにも取り付けて吊り下げることで、交通事故防止に実効性ある吊り下げ反射発光具に関する。
【背景技術】
【０００２】  従来より、交通事故防止用の反射具や発光具は様々なタイプがあり、その多くは再帰性反射材が使用され、一部には電池で発光するＬＥＤ発光具も提供されており、衣服や持ち物に貼り付けたり自転車に吊り下げて使用している。【０００３】  また、歩行者や自転車に付けて、自動車を運転するドライバーに視認性を高めて交通事故を防ぐために、首から吊り下げられるケースの一部にレンズ付き光射出口を設けた内部に発光ダイオードを一対設け、その発光ダイオードが交互に発光した光を光射出口から放出することで、ドライバーへの視認を高めて交通事故防止する技術がある。（例えば、特許文献１参照）
【特許文献１】公開実用新案平７−３４５０１公報
【考案が解決しようとする課題】
【０００４】  前記するような反射具があるが、吊り下げタイプの反射具はナス環が付いている場合は取り外しできるが、自転車やバイクなどのグリップには吊り下げられず、また、反射材のみではヘッドライトが適正な角度に当たらない時は光らず、また点滅しないので反射光も弱いため目立ちにくかった。
【０００５】  さらに公開実用新案平７−３４５０１に開示される技術は、首から吊り下げられるケースの一部にレンズ付き光射出口を設け、その内部に発光ダイオードを一対設けて交互に発光させた光を光射出口から放出することで、ドライバーへの視認を高める交通安全灯具であるが、その光射出口はケースの片面のみに設け、且つ、内部で発光した光を放射するものであるため一方向からしか視認することができないため、全方向から視認できる効果的な交通安全灯具と言えない技術である。また吊り下げ方式であっても自転車のグリップなどに着脱して使用することもできないなど機能的な交通事故防止具ではない。
【課題を解決するための手段】
【０００６】  本考案は、前記する従来の不便や欠点を解消するために、請求項１においては、ケース下部に突出するレンズを組み合わせ、上部にナス環付き吊り具を設けた前記ケースの背面に反射材を設けた開放部内に、下部にＬＥＤを取り付けた他部にスイッチと電池を位置した回路基板を納めて成るケース前記開放部を、反射材と前記スイッチを作動させるスイッチボタンを備えた蓋で閉じた吊り下げ型反射発光具とすることで、身体や荷物に吊り下げたり、簡単なライトにも使えるものとする。
【０００７】  請求項２においては、前記する蓋に反射材を設けることでケースの表裏面が反射できるものとする。
【０００８】  請求項３においては、前記する反射発光具のナス環に、自転車又はバイクのグリップに吊り下げられるグリップ吊り具を組み合わせることで、走行時は吊り下げて使用し、降りた時は簡単に取り外して身体や荷物に付けたり、盗まれるのを防止できるものとする。
【考案の効果】
【０００９】  本考案による吊り下げ型反射発光具は、ナス環付き吊り具を設けたケースの表裏面に色の異なる高輝度反射材を設けるとともに、そのケース下端部に突出したレンズ内にＬＥＤ発光素子を納めているので、ケースの表裏面に対向する方向からは反射材が発光するとともに、ＬＥＤはケースから突出したレンズ内に位置するので、全周囲どこからでも発光を認識できる。
【００１０】  さらに、ＬＥＤは簡単なライトとしても使え、且つ、連続した点滅発光もできるので、反射材による発光とＬＥＤによる異なる発光の相乗効果により、使用者の存在位置を夜昼問わず、遠くまで知らせることができるため、従来には見られない交通事故防止具として身体や鞄、乳母車、杖、犬のリードはもとより、自転車やバイクの電動車椅子のグリップに吊り下げられる。また、取り外しも容易であるため盗まれるのを防止できるとともに、両側グリップに吊り下げると車幅灯としても使えるなど、多様な使い方が可能な交通事故防止用の吊り下げ型反射発光具を提供する。
【考案を実施するための最良の形態】
【００１１】  本考案の反射発光具の第１実施形態を、図１に示す分解斜視図と図２の回路基板を示す斜視図、図３に示す反射発光具の一部を省略した背面図、図４に示すグリップ吊り具で説明する。【００１２】  本考案における反射発光具１本体は、円形状の本体下部に透明アクリル素材によるＵ字状のレンズ２内側下部に、ＬＥＤ収納穴３を設けたレンズ２を取り付けて成るケース４の背面中央にカラーで、且つ、高輝度の反射材５を取り付け、そのケース４の開放側の中ほどに、下端部にＬＥＤ６を取り付け、上部位に電池７を備えた回路基板８中ほどにスイッチ９を位置した前記回路基板８のＬＥＤ６を、前記するレンズ２に設けたＬＥＤ収納穴３に納めるように組み合わせるとともに、そのケース４の上端部に設けた凹部に、ナス環１０付き吊り具１１を取り付けて成る前記ケース４の背面に設けた反射材５と、異なる色の反射材を設けた反射材５部に、前記スイッチ９に当接するスイッチボタン１２を設けて成る蓋１３を組み合わせてから、ネジ穴１４を介してネジ１５留めして成る反射発光具１を構成する。【００１３】  第１実施形態による反射発光具１は、ケース４下部にＬＥＤ収納穴３付きレンズ２を取り付けた内部に、電池７、スイッチ９を備えた回路基板８を納めて成るナス環１０付き吊り具１１を設けるとともに、ケース４本体の表裏面に反射材５，５を設けているので、吊り下げた際は両面でヘッドライトを反射できる。さらに、回路基板８のスイッチ９は蓋１３のスイッチボタン１２で切り替え操作することで、簡単なライトとしても使え、且つ、連続点滅ライトにも切り替えられるとともに、ＬＥＤ６は突出したレンズ２内に納められているので全周囲から発光を認識できるため、反射材５と合わせた相乗効果による認識度はさらに大きい。【００１４】  次に反射発光具の第２実施形態を、図４に示すグリップ吊り具の斜視図と図５に示すグリップに吊り下げた使用状態参考図で説明する。【００１５】  第２実施形態による反射発光具１本体は前記第１実施形態と同様であるが、その反射発光具１を自転車やバイクのグリップ１６側部に設けている空気抜き穴１７に吊り下げられるグリップ吊り具１８が組み合わされるものとし、そのグリップ吊り具１８は、バネ性の針金の一方を丸めて吊り輪１９を作り、他方、一定長延長させた端部を折り返すとともに波形にしたクリップ端部を大きくした逆止バネ２０を有するグリップ吊り具１８を形成し、そのグリップ吊り具１８を前記第１実施形態の反射発光具１のナス環１０に組み合わせた構成である。【００１６】  第２実施形態における反射発光具１本体は前記第１実施形態と同じであるが、その反射発光具１本体にグリップ吊り具１８を組み合わせているので、使用する際は図４図に示すようにグリップ吊り具１８の屈曲側を、グリップ１６端部の空気抜き穴１７に強く押し込んで吊り輪１９の根元部位まで押し込むと、逆止バネ２０端部がグリップ１６の内側に引っ掛かって抜けない状態に取り付けられる。後はグリップ１６端部に位置する吊り輪１９に、反射発光具１のナス環１０を掛け留めるだけで吊り下げられるとともに、取り外しも容易に行える。【００１７】  本考案による反射発光具１のケース４表裏面に設けた反射材５は再帰���反射材でもよいし、マイクロプリズムやガラスビーズタイプでもよい。また、ケース４は円形状であるが四角形でもよいし、他の形状でもよい。さらに、反射材５はケース４と蓋１３の両面に設けているが、いずれか一方面でも差し支えず、いずれも特に限定するものではない。
【図面の簡単な説明】
【００１８】
【図１】本考案の反射発光具の第１実施形態を示す分解斜視図である。
【図２】第１実施形態の回路基板を示す斜視図である。
【図３】第１実施形態の反射発光具を示す一部省略した背面図である。
【図４】第２実施形態の反射発光具のグリップ吊り具を示す斜視図である。
【図５】第２実施形態の反射発光具の使用状態を示す斜視図である。
【符号の説明】
【００１９】１  反射発光具
２  レンズ
３  ＬＥＤ収納穴
４  ケース
５  反射材
６  ＬＥＤ
７  電池
８  回路基板
９  スイッチ
１０  ナス環
１１  吊り具
１２  スイッチボタン
１３  蓋
１４  ネジ穴
１５  ネジ
１６  グリップ
１７  空気抜き穴
１８  グリップ吊り具
１９  吊り輪
２０  逆止バネ
【図１】
0003138848.tif 000003
【図２】
0003138848.tif 000004
【図３】
0003138848.tif 000005
【図４】
0003138848.tif 000006
【図５】
0003138848.tif 000007